(57)【特許請求の範囲】
【請求項１】
ユーザ装置であって、
第１のメッセージを第１のセルから受信するよう構成される受信部と、
前記第１のメッセージに基づいて、地理的な区画であるゾーンを決定するために、第１の設定情報と第２の設定情報とのどちらか一方を適用するよう構成される制御部と、を備え、
前記第１の設定情報は、前記ユーザ装置に予め設定される情報であり、
前記第２の設定情報は、前記第１のセルから提供される情報であり、
前記第１のメッセージは、前記第１の設定情報を前記ユーザ装置が適用することを許可するか否かを示す所定情報を含み、
前記制御部は、
前記所定情報に基づいて前記第１の設定情報と前記第２の設定情報とのどちらか一方を適用することを決定し、
前記第１の設定情報及び前記第２の設定情報のうち、適用された前記一方の設定情報に基づいて前記ユーザ装置が位置するゾーンを決定し、
前記決定されたゾーンに対応付けられたリソースプールに基づいて、Ｖｅｈｉｃｌｅ−ｔｏ−Ｅｖｅｒｙｔｈｉｎｇ（Ｖ２Ｘ）通信を実行するよう構成されるユーザ装置。
【請求項２】
前記第２の設定情報は、前記第１のセルに隣接する第２のセルにおいて前記Ｖ２Ｘ通信に用いられる情報を含む請求項１に記載のユーザ装置。
【請求項３】
ユーザ装置を制御するためのプロセッサであって、
第１のメッセージを第１のセルから受信する処理と、
前記第１のメッセージに基づいて、地理的な区画であるゾーンを決定するために、第１の設定情報と第２の設定情報とのどちらか一方を適用する処理と、を実行し、
前記第１の設定情報は、前記ユーザ装置に予め設定される情報であり、
前記第２の設定情報は、前記第１のセルから提供される情報であり、
前記第１のメッセージは、前記第１の設定情報を前記ユーザ装置が適用することを許可するか否かを示す所定情報を含み、
前記プロセッサは、
前記所定情報に基づいて前記第１の設定情報と前記第２の設定情報とのどちらか一方を適用することを決定する処理と、
前記第１の設定情報及び前記第２の設定情報のうち、適用された前記一方の設定情報に基づいて前記ユーザ装置が位置するゾーンを算出する処理と、
前記算出されたゾーンに対応付けられたリソースプールに基づいて、Ｖｅｈｉｃｌｅ−ｔｏ−Ｅｖｅｒｙｔｈｉｎｇ（Ｖ２Ｘ）通信を実行する処理と、をさらに実行するプロセッサ。
【請求項４】
方法であって、
ユーザ装置が、第１のメッセージを第１のセルから受信し、
前記ユーザ装置が、前記第１のメッセージに基づいて、地理的な区画であるゾーンを決定するために、第１の設定情報と第２の設定情報とのどちらか一方を適用し、前記第１の設定情報は、前記ユーザ装置に予め設定される情報であり、前記第２の設定情報は、前記第１のセルから提供される情報であり、
前記第１のメッセージは、前記第１の設定情報を前記ユーザ装置が適用することを許可するか否かを示す所定情報を含み、
前記ユーザ装置が、前記所定情報に基づいて前記第１の設定情報と前記第２の設定情報とのどちらか一方を適用することを決定し、
前記ユーザ装置が、前記第１の設定情報及び前記第２の設定情報のうち、適用された前記一方の設定情報に基づいて前記ユーザ装置が位置するゾーンを決定し、
前記ユーザ装置が、前記決定されたゾーンに対応付けられたリソースプールに基づいて、Ｖｅｈｉｃｌｅ−ｔｏ−Ｅｖｅｒｙｔｈｉｎｇ（Ｖ２Ｘ）通信を実行する
方法。
【発明の詳細な説明】
【技術分野】
【０００１】
本開示は、通信装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、端末間での直接的なシグナリング（Ｓｉｄｅｌｉｎｋ）に関する仕様策定が進められている（非特許文献１参照）。
【先行技術文献】
【非特許文献】
【０００３】
【非特許文献１】３ＧＰＰ技術仕様書「ＴＳ３６．３００  Ｖ１３．４．０」  ２０１６年７月７日
【発明の概要】
【０００４】
一の実施形態に係る通信装置は、第１のメッセージを第１のセルから受信するよう構成される受信部と、前記第１のメッセージに基づいて、地理的な区画であるゾーンを算出するために、第１の設定情報と第２の設定情報とのどちらを適用するかを決定するよう構成される制御部と、を備える。前記第１の設定情報は、前記通信装置に予め設定される情報である。前記第２の設定情報は、前記第１のセルから提供される情報である。前記制御部は、前記第１の設定情報及び前記第２の設定情報のうち、決定された一方の設定情報に基づいて前記通信装置が位置するゾーンを算出し、前記算出されたゾーンに対応付けられたリソースプールに基づいて、Ｖｅｈｉｃｌｅ−ｔｏ−Ｅｖｅｒｙｔｈｉｎｇ（Ｖ２Ｘ）通信を実行するよう構成される。
【図面の簡単な説明】
【０００５】
【図１】図１は、ＬＴＥシステムの構成を示す図である。
【図２】図２は、ＬＴＥシステムにおける無線インターフェイスのプロトコルスタック図である。
【図３】図３は、ＬＴＥシステムで使用される無線フレームの構成図である。
【図４】図４は、ゾーンの一例を説明するための図である。
【図５】図５は、ＵＥ１００のブロック図である。
【図６】図６は、ｅＮＢ２００のブロック図である。
【図７】図７は、動作パターン１を説明するためのシーケンス図である。
【図８】図８は、動作パターン２を説明するためのシーケンス図である。
【図９】図９は、動作パターン３を説明するためのシーケンス図である。
【図１０】図１０は、動作パターン４を説明するためのフローチャートである。
【発明を実施するための形態】
【０００６】
［実施形態の概要］
一の実施形態に係る通信装置は、第１のメッセージを第１のセルから受信するよう構成される受信部と、前記第１のメッセージに基づいて、地理的な区画であるゾーンを算出するために、第１の設定情報と第２の設定情報とのどちらを適用するかを決定するよう構成される制御部と、を備える。前記第１の設定情報は、前記通信装置に予め設定される情報である。前記第２の設定情報は、前記第１のセルから提供される情報である。前記制御部は、前記第１の設定情報及び前記第２の設定情報のうち、決定された一方の設定情報に基づいて前記通信装置が位置するゾーンを算出し、前記算出されたゾーンに対応付けられたリソースプールに基づいて、Ｖｅｈｉｃｌｅ−ｔｏ−Ｅｖｅｒｙｔｈｉｎｇ（Ｖ２Ｘ）通信を実行するよう構成される。
【０００７】
前記第１のメッセージは、前記リソースプールを示すリソース情報を含んでもよい。前記制御部は、前記リソース情報により示される前記リソースプールに基づいて、前記Ｖ２Ｘ通信を実行するよう構成されてもよい。
【０００８】
前記第２の設定情報は、前記第１のセルに隣接する第２のセルにおいて前記Ｖ２Ｘ通信に用いられる情報を含んでもよい。前記制御部は、前記情報に基づいて、前記Ｖ２Ｘ通信を実行するよう構成されてもよい。
【０００９】
前記制御部は、前記通信装置へ適用すべき設定情報が変更されたことに応じて、前記ゾーンに対応付けられていない例外的なリソースプールを用いて、前記Ｖ２Ｘ通信を実行するよう構成されてもよい。
【００１０】
一の実施形態に係るプロセッサは、通信装置を制御するためのプロセッサである。前記プロセッサは、第１のメッセージを第１のセルから受信する処理と、前記第１のメッセージに基づいて、地理的な区画であるゾーンを算出するために、第１の設定情報と第２の設定情報とのどちらを適用するかを決定する処理と、を実行する。前記第１の設定情報は、前記通信装置に予め設定される情報である。前記第２の設定情報は、前記第１のセルから提供される情報である。前記プロセッサは、前記第１の設定情報及び前記第２の設定情報のうち、決定された一方の設定情報に基づいて前記通信装置が位置するゾーンを算出する処理と、前記算出されたゾーンに対応付けられたリソースプールに基づいて、Ｖｅｈｉｃｌｅ−ｔｏ−Ｅｖｅｒｙｔｈｉｎｇ（Ｖ２Ｘ）通信を実行する処理と、をさらに実行する。
【００１１】
一の実施形態に係る通信装置は、第１のメッセージを第１のセルから受信するよう構成される受信部と、前記第１のメッセージに基づいて、地理的な区画であるゾーンを算出するために、第１の設定情報と第２の設定情報とのどちらを適用するかを決定するよう構成される制御部と、を備える。前記第１の設定情報は、前記通信装置に予め設定される情報である。前記第２の設定情報は、前記第１のセルから提供される情報である。
【００１２】
前記第１のメッセージは、前記第１の設定情報の適用を許可することを示す第１の情報を含んでもよい。前記制御部は、前記第１の設定情報を適用することを決定するよう構成されてもよい。
【００１３】
前記第１の情報は、複数の第１の設定情報のうち、適用すべき第１の設定情報を識別する情報を含んでもよい。
【００１４】
前記第１の設定情報は、前記ゾーンに対応付けられたリソースプールを示す第１のリソース情報を含んでもよい。前記第１のメッセージは、前記第１のセルから提供される第２のリソース情報の適用を示す情報を含んでもよい。
【００１５】
前記制御部は、前記第１のメッセージ及び前記第２の設定情報の少なくとも一方を受信するまでは、前記第１の設定情報を適用するよう構成されてもよい。
【００１６】
前記第１のメッセージは、前記第１の設定情報の適用を許可しないことを示す第２の情報を含んでもよい。前記制御部は、前記第２の情報に基づいて、前記第２の設定情報を適用することを決定するよう構成されてもよい。
【００１７】
前記受信部は、第２のメッセージを第２のセルからさらに受信するよう構成されてもよい。前記制御部は、前記第２のメッセージに基づいて、前記第２のセルにおいて、前記ゾーンを算出するために、前記第１の設定情報と第３の設定情報とのどちらが適用されるかを決定するよう構成されてもよい。前記第３の設定情報は、前記第２のセルから提供される情報であってもよい。前記通信装置は、前記第２のセルにおいて適用される設定情報を通知するためのメッセージを前記第１のセルへ送信するよう構成される送信部をさらに備えてもよい。
【００１８】
前記第３のメッセージは、前記第２のセルにおいて適用される設定情報が前記第１のセルにおいて適用される設定情報と同じであるかを示すための情報を含んでもよい。
【００１９】
前記第３のメッセージは、前記第３の設定情報を含んでもよい。
【００２０】
一の実施形態に係る通信装置は、直接的な装置間通信のために用いられる第１の設定情報を基地局へ送信するよう構成される送信部を備える。前記第１の設定情報は、前記通信装置に予め設定され、地理的な区画であるゾーンを算出するためのゾーン設定情報及び前記ゾーンに対応付けられたリソースプールを示すリソース設定情報の少なくとも一方である。
【００２１】
前記通信装置は、前記通信装置が前記第１の設定情報を前記基地局へ送信するためのメッセージを前記基地局から受信するよう構成される受信部をさらに備えてもよい。前記送信部は、前記第３のメッセージに基づいて、前記第１の設定情報を送信するよう構成されてもよい。
【００２２】
前記通信装置は、直接的な装置間通信のために用いられる複数の第１の設定情報の中から前記第１の設定情報を選択するよう構成される制御部をさらに備えてもよい。前記送信部は、前記制御部により選択された前記第１の設定情報を前記基地局へ送信するよう構成されてもよい。
【００２３】
前記送信部は、前記第１の設定情報が適用可能であることに応じて、前記第１の設定情報を送信するよう構成されてもよい。
【００２４】
前記送信部は、前記通信装置の能力を示す情報として前記第１の設定情報を送信するよう構成されてもよい。
【００２５】
一の実施形態に係る通信装置は、制御部と送信部とを備える。前記制御部は、前記通信装置が位置する地理的な区画である第１のゾーンを特定し、前記第１のゾーンに対応付けられた第１の送信リソース領域を選択するよう構成される。前記送信部は、前記第１の送信リソース領域内のリソースを用いて、他の通信装置へ直接的な無線信号を送信するよう構成される。前記制御部は、前記第１のゾーンから前記第１のゾーンと異なる第２のゾーンへ変更された場合、前記第２のゾーンに対応付けられた第２の送信リソース領域を選択するまで、前記第２の送信リソース領域と異なる所定の送信リソース領域を選択するよう構成される。
【００２６】
前記制御部は、前記所定の送信リソース領域として、ゾーンに対応付けられていない特別な送信リソース領域を選択するよう構成されてもよい。
【００２７】
前記制御部は、前記所定の送信リソース領域として、前記第１の送信リソース領域を選択するよう構成されてもよい。
【００２８】
前記制御部は、前記所定の送信リソース領域を選択可能な期間、前記第２の送信リソース領域を選択してもよい。
【００２９】
前記制御部は、前記期間において、前記第２の送信リソース領域で無線信号の測定を実行するよう構成されてもよい。
【００３０】
［実施形態］
（移動通信システム）
以下において、実施形態に係る移動通信システムであるＬＴＥシステムについて説明する。図１は、ＬＴＥシステムの構成を示す図である。
【００３１】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３２】
ＵＥ１００は、通信装置（例えば、無線端末）に相当する。ＵＥ１００は、移動型の通信装置である。ＵＥ１００は、通信機能を有する車両（ＶＵＥ（Ｖｅｈｉｃｌｅ  ＵＥ）１００）であってもよい。ＵＥ１００は、車両そのもの（例えば、自動車、バイク等）であってもよい。ＵＥ１００は、車両に着脱可能な通信モジュールであってもよい。
【００３３】
ＵＥ１００は、セル（後述するｅＮＢ２００）と無線通信（Ｕｐｌｉｎｋ／Ｄｏｗｎｌｉｎｋ）を行う。ＵＥ１００は、他の通信装置と直接的なシグナリングの送信及び／又は受信を実行できてもよい。例えば、ＵＥ１００は、Ｖ２Ｘ（Ｖｅｈｉｃｌｅ−ｔｏ−Ｅｖｅｒｙｔｈｉｎｇ）通信（例えば、車車間通信（Ｖ２Ｖ：Ｖｅｈｉｃｌｅ−ｔｏ−Ｖｅｈｉｃｌｅ）、路車間通信（Ｖ２Ｉ：Ｖｅｈｉｃｌｅ−ｔｏ−Ｉｎｆｒａｓｔｒｕｃｔｕｒｅ）を実行できてもよい。
【００３４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の動作は、Ｅ−ＵＴＲＡＮ１０の動作とみなされてもよい。
【００３５】
ｅＮＢ２００は、１又は複数のセルを管理する。ｅＮＢ２００は、ｅＮＢ２００が管理するセルとの接続を確立したＵＥ１００との無線通信を行う。ｅＮＢ２００は、無線リソース管理（ＲＲＭ：Ｒａｄｉｏ  Ｒｅｓｏｕｒｃｅ  Ｍａｎａｇｅｍｅｎｔ）機能、ユーザデータ（以下、「データ」と称することがある）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用されてもよい。
【００３６】
ＥＰＣ２０は、コアネットワークに相当する。ＥＰＣ２０は、Ｅ−ＵＴＲＡＮ１０と共にネットワークを構成してもよい。ＥＰＣ２０は、ＭＭＥ（Ｍｏｂｉｌｉｔｙ  Ｍａｎａｇｅｍｅｎｔ  Ｅｎｔｉｔｙ）３００、及びＳＧＷ（Ｓｅｒｖｉｎｇ  Ｇａｔｅｗａｙ）４００を含む。
【００３７】
ＭＭＥ３００は、例えば、ＵＥ１００に対する各種モビリティ制御を行う。ＳＧＷ４００は、例えば、データの転送制御を行う。ＭＭＥ３００及びＳＧＷ４００は、Ｓ１インターフェイスを介してｅＮＢ２００と接続される。
【００３８】
ＥＰＣ２０は、Ｓｅｒｖｅｒ６００を含んでいてもよい。Ｓｅｒｖｅｒ６００は、例えば、ＰｒｏＳｅ機能を管理するＰｒｏＳｅサーバであってもよい。Ｓｅｒｖｅｒ６００は、Ｖ２Ｘ（Ｖ２Ｖ／Ｖ２Ｉ）機能を管理するＶ２Ｘサーバであってもよい。Ｓｅｒｖｅｒ６００は、ＥＰＣ２０内ではなく、外部ネットワークに設けられていてもよい。
【００３９】
図２は、ＬＴＥシステムにおける無線インターフェイスのプロトコルスタック図である。図２に示すように、無線インターフェイスプロトコルは、ＯＳＩ参照モデルの第１層乃至第３層に区分されている。第１層は、物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４０】
物理層は、符号化・復号化、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００４１】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラ（ＭＡＣ  スケジューラ）を含む。スケジューラは、上下リンクのトランスポートフォーマット（トランスポートブロックサイズ、変調・符号化方式（ＭＣＳ））及びＵＥ１００への割当リソースブロックを決定する。
【００４２】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４３】
ＰＤＣＰ層は、ヘッダ圧縮・伸張、及び暗号化・復号化を行う。
【００４４】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は、ＲＲＣコネクティッド状態である。ＵＥ１００のＲＲＣとｅＮＢ２００のＲＲＣとの間にＲＲＣ接続がない場合、ＵＥ１００は、ＲＲＣアイドル状態である。
【００４５】
ＲＲＣ層の上位に位置するＮＡＳ（Ｎｏｎ−Ａｃｃｅｓｓ  Ｓｔｒａｔｕｍ）層は、例えば、セッション管理及びモビリティ管理を行う。
【００４６】
図３は、ＬＴＥシステムで使用される無線フレームの構成図である。ＬＴＥシステムにおいて、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が適用される。上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００４７】
図３に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数のリソースブロック（ＲＢ：Ｒｅｓｏｕｒｃｅ  Ｂｌｏｃｋ）を含む。各サブフレームは、時間方向に複数のシンボルを含む。各リソースブロックは、周波数方向に複数のサブキャリアを含む。１つのシンボル及び１つのサブキャリアにより、１つのリソースエレメント（ＲＥ：Ｒｅｓｏｕｒｃｅ  Ｅｌｅｍｅｎｔ）が構成されるＵＥ１００には、無線リソース（時間・周波数リソース）が割り当てられる。周波数方向において、無線リソース（周波数リソース）は、リソースブロックにより構成される。時間方向において、無線リソース（時間リソース）は、サブフレーム（又はスロット）により構成される。
【００４８】
下りリンクにおいて、各サブフレームの先頭数シンボルの区間は、下りリンク制御信号を伝送するための物理下りリンク制御チャネル（ＰＤＣＣＨ：Ｐｈｙｓｉｃａｌ  Ｄｏｗｎｌｉｎｋ．  Ｃｏｎｔｒｏｌ  Ｃｈａｎｎｅｌ）として使用可能な領域である。各サブフレームの残りの部分は、下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として使用可能な領域である。
【００４９】
上りリンクにおいて、各サブフレームにおける周波数方向の両端部は、上りリンク制御信号を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として使用可能な領域である。各サブフレームにおける残りの部分は、上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として使用可能な領域である。
【００５０】
（近傍サービス）
近傍サービス（ＰｒｏＳｅ：Ｐｒｏｘｉｍｉｔｙ−ｂａｓｅｄ  Ｓｅｒｖｉｃｅｓ）について説明する。近傍サービスは、互いに近傍にある通信装置（例えば、ＵＥ１００）に基づいて３ＧＰＰシステムにより提供され得るサービスである。
【００５１】
ＰｒｏＳｅでは、ネットワーク（例えば、ｅＮＢ２００）を経由せずにノード間（例えば、ＵＥ間）で直接的な無線リンクを介して各種の無線信号が直接的に送受信される。ＰｒｏＳｅにおける直接的な無線リンクは、「サイドリンク（Ｓｉｄｅｌｉｎｋ）」と称される。
【００５２】
サイドリンクは、サイドリンク通信及びサイドリンクディスカバリのためのインターフェイス（例えば、ＵＥとＵＥとの間のインターフェイス）であってもよい。サイドリンク通信は、ＰｒｏＳｅ直接通信（以下、「直接通信」と適宜称する）を可能にする機能（ＡＳ  ｆｕｎｃｔｉｏｎａｌｉｔｙ）である。サイドリンクディスカバリは、ＰｒｏＳｅ直接ディスカバリ（以下、「直接ディスカバリ」と適宜称する）を可能にする機能（ＡＳ  ｆｕｎｃｔｉｏｎａｌｉｔｙ）である。
【００５３】
サイドリンクは、ＰＣ５インターフェイスに対応する。ＰＣ５は、ＰｒｏＳｅ直接ディスカバリ、ＰｒｏＳｅ直接通信及びＰｒｏＳｅ  ＵＥ・ネットワーク中継のための制御プレーン及びユーザプレーンのために用いられるＰｒｏＳｅ使用可能なＵＥ（ＰｒｏＳｅ−ｅｎａｂｌｅｄ  ＵＥ）間の参照ポイントである。
【００５４】
ＰｒｏＳｅは、「直接ディスカバリ（Ｄｉｒｅｃｔ  Ｄｉｓｃｏｖｅｒｙ）」及び「直接通信（Ｄｉｒｅｃｔ  Ｃｏｍｍｕｎｉｃａｔｉｏｎ）」及び「Ｒｅｌａｙ」のモードが規定されている。「Ｒｅｌａｙ」については後述する。
【００５５】
直接ディスカバリは、例えば、特定の宛先を指定しないディスカバリメッセージ（ディスカバリ信号）をＵＥ間で直接的に伝送することにより、相手先を探索するモードであってもよい。直接ディスカバリは、ＰＣ５を介してＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）における直接無線信号を用いて、ＵＥの近傍における他のＵＥを発見するための手順であってもよい。直接ディスカバリは、Ｅ−ＵＴＲＡ技術で２つのＵＥ１００の能力のみを用いて、近傍サービスを実行可能な他のＵＥ１００を発見するために近傍サービスを実行可能なＵＥ１００によって採用される手順であってもよい。直接ディスカバリは、ＵＥ１００がＥ−ＵＴＲＡＮ（ｅＮＢ２００（セル））によってサービスが提供される場合にのみ、サポートされてもよい。ＵＥ１００は、セル（ｅＮＢ２００）に接続又はセルに在圏している場合、Ｅ−ＵＴＲＡＮによってサービスが提供されてもよい。
【００５６】
ディスカバリメッセージ（ディスカバリ信号）の送信（アナウンスメント）のためのリソース割り当てタイプには、「タイプ１」と「タイプ２（タイプ２Ｂ）」がある。「タイプ１」では、ＵＥ１００が無線リソースを選択する。「タイプ２（タイプ２Ｂ）」では、ｅＮＢ２００が無線リソースを割り当てる。タイプ１では、ＵＥ１００は、ｅＮＢ２００から提供されたリソースプールの中から無線リソースを選択してもよい。
【００５７】
「Ｓｉｄｅｌｉｎｋ  Ｄｉｒｅｃｔ  Ｄｉｓｃｏｖｅｒｙ」プロトコルスタックは、物理（ＰＨＹ）層、ＭＡＣ層、及びＰｒｏＳｅプロトコルを含む。
【００５８】
直接通信は、例えば、特定の宛先（宛先グループ）を指定してデータをＵＥ間で直接的に伝送するモードであってもよい。直接通信は、いずれのネットワークノードを通過しない経路を介してＥ−ＵＴＲＡ技術を用いたユーザプレーン伝送による、近傍サービスを実行可能である２以上のＵＥ間の通信であってもよい。
【００５９】
直接通信のリソース割り当てタイプには、「モード１」と「モード２」がある。「モード１」では、直接通信の無線リソースをｅＮＢ２００が指定する。「モード２」では、直接通信の無線リソースをＵＥ１００が選択する。モード２では、ＵＥ１００は、ｅＮＢ２００から提供されたリソースプールの中から無線リソースを選択してもよい。
【００６０】
ＰＣ５におけるサイドリンク通信（直接通信）におけるユーザプレーンのプロトコルスタックは、物理（ＰＨＹ）層、ＭＡＣ層、ＲＬＣ層、及びＰＤＣＰ層を含む。ＰＣ５におけるサイドリンクブロードキャスト制御チャネル（ＳＢＣＣＨ）のための制御プレーンのプロトコルスタックは、物理（ＰＨＹ）層、ＭＡＣ層、ＲＬＣ層、及びＲＲＣ層を含む。１対１サイドリンク通信のための制御プレーンのプロトコルスタックは、物理（ＰＨＹ）層、ＭＡＣ層、ＲＬＣ層、ＰＤＣＰ層、及びＰＣ５シグナリングプロトコルを含む。
【００６１】
サイドリンクでは、以下のチャネルを用いることによって各種情報が伝送される。
【００６２】
サイドリンクに関する物理チャネルには、物理サイドリンクブロードキャストチャネル（ＰＳＢＣＨ）、物理サイドリンクディスカバリチャネル（ＰＳＤＣＨ）、物理サイドリンク制御チャネル（ＰＳＣＣＨ）及び物理サイドリンク共有チャネル（ＰＳＳＣＨ）がある。
【００６３】
ＰＳＢＣＨは、システム及び同期関連情報（例えば、同期信号）を伝送するためのチャネルである。ＰＳＤＣＨは、ＵＥからのサイドリンクディスカバリメッセージ（ディスカバリ信号）を伝送するためのチャネルである。ＰＳＣＣＨは、サイドリンク通信のためにＵＥからの制御情報を伝送するためのチャネルである。ＰＳＳＣＨは、サイドリンク通信のためにＵＥからのデータを伝送するためのチャネルである。
【００６４】
サイドリンクに関するトランスポートチャネルには、サイドリンクブロードキャストチャネル（ＳＬ−ＢＣＨ）、サイドリンクディスカバリチャネル（ＳＬ−ＤＣＨ）、及びサイドリンク共有チャネル（ＳＬ−ＳＣＨ）がある。ＳＬ−ＢＣＨは、ＰＳＢＣＨにマッピングされる。ＳＬ−ＤＣＨは、ＰＳＤＣＨにマッピングされる。ＳＬ−ＳＣＨは、ＰＳＳＣＨにマッピングされる。
【００６５】
サイドリンクに関する論理チャネル（制御チャネル、トラフィックチャネル）には、サイドリンクブロードキャスト制御チャネル（ＳＢＣＣＨ）及びサイドリンクトラフィックチャネル（ＳＴＣＨ）がある。
【００６６】
ＳＢＣＣＨは、１のＵＥから他のＵＥ（ｓ）へサイドリンクシステム情報をブロードキャストするためのサイドリンクチャネルである。ＳＴＣＨは、１のＵＥから他のＵＥ（ｓ）へユーザ情報（データ）を転送するためのポイントツーマルチポイントチャネルである。ＳＴＣＨは、サイドリンク通信が可能なＵＥでのみ使用される。ＳＴＣＨは、２つのサイドリンク通信可能なＵＥ間でのポイントツーポイント通信に使用されてもよい。ＳＴＣＨは、ＳＬ−ＳＣＨにマッピングされる。ＳＢＣＣＨは、ＳＬ−ＢＣＨにマッピングされる。
【００６７】
（ゾーンコンセプト）
ゾーンコンセプトについて、図４を用いて説明する。図４は、ゾーンの一例を説明するための図である。
【００６８】
ゾーンコンセプトでは、図４に示すように、世界が地理的なゾーンに区分けされる。インカバレッジであるＵＥ１００は、ゾーン（ゾーン識別情報）を定義するための情報（ゾーン定義情報）をｅＮＢ２００から受信し得る。アウトオブカバレッジであるＵＥ１００には、予め設定されている情報（ゾーン定義情報）を適用する。ゾーン定義情報は、例えば、ゾーンの長さ（Ｌｅｎｇｔｈ）、ゾーンの幅（ｗｉｄｔｈ）及び単一の固定された参照点を定義する。
【００６９】
ＵＥ１００は、ゾーン定義情報に基づいて、自身が位置するゾーンを決定する。すなわち、ＵＥ１００は、自身がどのゾーンに位置するのかを決定する。ＵＥ１００は、モジュロ演算でゾーンを決定できる。ＵＥ１００は、参照点（例えば、（０，０））を用いて、ゾーンを決定できる。
【００７０】
ゾーンは、セルのカバレッジと異なる。セルは、ｅＮＢ２００の無線信号の到達範囲に応じたものである。ゾーンは、例えば、ネットワーク（ｅＮＢ２００等）により決定（定義）される地理的な区画である。
【００７１】
（無線端末）
実施形態に係るＵＥ１００（無線端末）について説明する。図５は、ＵＥ１００のブロック図である。図５に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００７２】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換する。レシーバ１１０は、ベースバンド信号をコントローラ１３０に出力する。
【００７３】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換する。トランスミッタ１２０は、無線信号をアンテナから送信する。
【００７４】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンドプロセッサとＣＰＵ（Ｃｅｎｔｒａｌ  Ｐｒｏｃｅｓｓｉｎｇ  Ｕｎｉｔ）とを含む。ベースバンドプロセッサは、例えば、ベースバンド信号の変調・復調及び符号化・復号化を行う。ＣＰＵは、メモリに記憶されるプログラムを実行することにより、各種の処理を行う。プロセッサは、音声・映像信号の符号化・復号化を行うコーデックを含んでもよい。プロセッサは、後述する各種の処理及び上述した各種の通信プロトコルを実行する。
【００７５】
ＵＥ１００は、ＧＮＳＳ（Ｇｌｏｂａｌ  Ｎａｖｉｇａｔｉｏｎ  Ｓａｔｅｌｌｉｔｅ  Ｓｙｓｔｅｍ）受信機を備えていてもよい。ＧＮＳＳ受信機は、ＵＥ１００の地理的な位置を示す位置情報を得るために、ＧＮＳＳ信号を受信できる。ＧＮＳＳ受信機は、ＧＮＳＳ信号をコントローラ１３０に出力する。ＵＥ１００は、ＵＥ１００の位置情報を取得するためのＧＰＳ（Ｇｌｏｂａｌ  Ｐｏｓｉｔｉｏｎｉｎｇ  Ｓｙｓｔｅｍ）機能を有していてもよい。ＵＥ１００は、電子コンパス、加速度センサなどの位置を予想する機能を有していてもよい。
【００７６】
ＵＥ１００は、他の通信装置と直接的なシグナリングの送信及び／又は受信を実行可能な機能を有する通信装置である。このため、ＵＥ１００は、その他の構成（例えば、機能、部材等）を有していてもよいことは勿論である。
【００７７】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明する。
【００７８】
（基地局）
実施形態に係るｅＮＢ２００（基地局）について説明する。図６は、ｅＮＢ２００のブロック図である。図６に示すように、ｅＮＢ２００は、レシーバ（受信部）２１０、トランスミッタ（送信部）２２０、コントローラ（制御部）２３０、及びネットワークインターフェイス２４０を備える。レシーバ２１０とトランスミッタ２２０は、一体化されたトランシーバ（送受信部）であってもよい。
【００７９】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換する。レシーバ２１０は、ベースバンド信号をコントローラ２３０に出力する。
【００８０】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換する。トランスミッタ２２０は、無線信号をアンテナから送信する。
【００８１】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号化等を行う。ＣＰＵは、メモリに記憶されるプログラムを実行することにより各種の処理を行う。プロセッサは、後述する各種の処理及び上述した各種の通信プロトコルを実行する。
【００８２】
ネットワークインターフェイス２４０は、Ｘ２インターフェイスを介して隣接ｅＮＢ２００と接続される。ネットワークインターフェイス２４０は、Ｓ１インターフェイスを介してＭＭＥ３００及びＳＧＷ４００と接続される。ネットワークインターフェイス２４０は、例えば、Ｘ２インターフェイス上で行う通信及びＳ１インターフェイス上で行う通信に使用される。
【００８３】
本明細書では、ｅＮＢ２００が備えるレシーバ２１０、トランスミッタ２２０、コントローラ２３０、及びネットワークインターフェイス２４０の少なくともいずれかが実行する処理を、便宜上、ｅＮＢ２００が実行する処理（動作）として説明する。
【００８４】
（実施形態に係る動作）
実施形態に係る動作について、以下の動作パターン１−４により説明する。
【００８５】
（Ａ）動作パターン１
動作パターン１について、図７を用いて説明する。図７は、動作パターン１を説明するためのシーケンス図である。
【００８６】
図７において、ＵＥ１００は、ｅＮＢ２００が管理するセル（ＰＣｅｌｌ（Ｐｒｉｍａｒｙ  Ｃｅｌｌ）／サービングセル／キャンプセル）内に位置してもよい（在圏してもよい）。ＵＥ１００は、ｅＮＢ２００（セル）とＲＲＣ接続を確立していてもよい（ＲＲＣコネクティッド状態）。ＵＥ１００は、ＲＲＣ接続を確立していなくてもよい（ＲＲＣアイドル状態）。ＵＥ１００は、ｅＮＢ２００へ無線信号を送信する場合に、ｅＮＢ２００とＲＲＣ接続を確立してもよい。
【００８７】
図７に示すように、ステップＳ１１０において、ｅＮＢ２００（セル）は、問合せメッセージ（ｉｎｑｕｉｒｙ）をＵＥ１００へ送ってもよい。
【００８８】
問合せメッセージは、ＵＥ設定情報をＵＥ１００にｅＮＢ２００へ送信（報告）させるためのメッセージである。ＵＥ設定情報は、ＵＥ１００において予め設定されている設定情報である。問合せメッセージは、ＵＥ１００へＵＥ設定情報の送信を要求するためのメッセージであってもよい。問合せメッセージは、ＵＥ設定情報の送信（報告）をＵＥ１００へ設定するための情報を含んでいてもよい。
【００８９】
ＵＥ設定情報は、直接的な装置間通信（例えば、Ｖ２Ｖ通信、Ｖ２Ｘ通信など）のために用いられる設定情報である。ＵＥ設定情報は、ゾーンを算出するためのゾーン設定情報（ゾーン定義情報）及びゾーンに対応付けられたリソースプールを示すリソース設定情報の少なくとも一方である。ＵＥ設定情報は、ＵＥ１００のＳＩＭ（Ｓｕｂｓｃｒｉｂｅｒ  Ｉｄｅｎｔｉｔｙ  Ｍｏｄｕｌｅ  Ｃａｒｄ）に記憶（設定）されていてもよい。ＳＩＭは、ＵＩＭ（Ｕｓｅｒ  Ｉｄｅｎｔｉｔｙ  Ｍｏｄｕｌｅ  Ｃａｒｄ）又はＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ  Ｃａｒｄ）であってもよい。
【００９０】
問合せメッセージは、送信すべき情報を指定する指定情報を含んでいてもよい。指定情報は、送信すべきＵＥ設定情報として、ゾーン設定情報を指定してもよい。指定情報は、リソース設定情報を指定してもよい。指定情報は、ゾーン設定情報とリソース設定情報との両方を指定してもよい。
【００９１】
ＵＥ設定情報がエリア（例えば、国、地域など）毎に異なる場合、ＵＥ１００は、複数のＵＥ設定情報（複数のセット）が予め設定されていてもよい。指定情報は、全てのＵＥ設定情報を指定してもよい。指定情報は、ＵＥ１００が現在位置しているエリアに対応付けられたＵＥ設定情報のみを指定してもよい。指定情報は、エリア識別子を含んでいてもよい。
【００９２】
ステップＳ１２０において、ＵＥ１００は、ＵＥ設定情報をｅＮＢ２００へ送信してもよい。
【００９３】
ＵＥ１００は、適用可能なＵＥ設定情報をｅＮＢ２００へ送信してもよい。ＵＥ１００は、適用不能なＵＥ設定情報の送信を省略してもよい。例えば、ＵＥ１００は、複数のＵＥ設定情報の中でＵＥ１００が現在位置するエリアで適用可能なＵＥ設定情報を選択してもよい。ＵＥ１００は、選択したＵＥ設定情報のみをｅＮＢ２００へ送信してもよい。ＵＥ１００は、適用可能なＵＥ設定情報を有していない場合には、送信を省略してもよい。ＵＥ１００は、ＵＥ設定情報が格納されるフィールドが空欄であるメッセージをｅＮＢ２００へ送信してもよい。
【００９４】
ＵＥ１００は、ＵＥ１００の能力（ｃａｐａｂｉｌｉｔｙ）を示す情報としてＵＥ設定情報をｅＮＢ２００へ送信してもよい。ＵＥ１００は、ＵＥ１００の能力をネットワーク（ｅＮＢ２００など）へ通知するためのメッセージにＵＥ設定情報を含めてもよい。ＵＥ１００は、当該メッセージを送信することにより、ＵＥ設定情報をｅＮＢ２００へ送信してもよい。
【００９５】
ＵＥ１００は、ＵＥ設定情報として、パラメータそのものを通知してもよい。例えば、ゾーンの長さ（Ｌ）、ゾーンの幅（Ｗ）、参照点などのパラメータをｅＮＢ２００へ送信してもよい。ＵＥ１００は、論理型（ブーリアン型：ｔｒｕｅ／ｆａｌｓｅ）形式によりＵＥ設定情報をｅＮＢ２００へ送信してもよい。
【００９６】
ＵＥ１００は、問合せメッセージに基づいて、ＵＥ設定情報を送信してもよい。ＵＥ１００は、問合せメッセージを受信した場合にのみ、ＵＥ設定情報を送信してもよい。ＵＥ１００は、複数のＵＥ設定情報の全てを送信してもよい。ＵＥ１００は、（複数のＵＥ設定情報の中から）指定情報により指定されたＵＥ設定情報を送信してもよい。
【００９７】
ステップＳ１３０において、ｅＮＢ２００（セル）は、メッセージを送信する。ＵＥ１００は、当該メッセージを受信する。メッセージは、ゾーンを算出するために適用する設定情報をＵＥ１００が決定するために用いられる。
【００９８】
ｅＮＢ２００は、個別シグナリング（例えば、ＲＲＣ再設定メッセージ、ＤＣＩ（Ｄｏｗｎｌｉｎｋ  Ｃｏｎｔｒｏｌ  Ｉｎｆｏｒｍａｔｉｏｎ）など）及び／又はブロードキャストシグナリング（例えば、ＳＩＢ：Ｓｙｓｔｅｍ  Ｉｎｆｏｒｍａｔｉｏｎ  Ｂｌｏｃｋ（ＳＩＢ２１など））により、メッセージをＵＥ１００−１へ送信してもよい。
【００９９】
メッセージは、ＵＥ設定情報の適用を許可することを示す情報（インジケータ）を含んでいてもよい。ＵＥ設定情報の適用を許可しないことを示す情報（インジケータ）を含んでいてもよい。セル設定情報の適用を許可することを示す情報（インジケータ）を含んでいてもよい。セル設定情報の適用を許可しないことを示す情報（インジケータ）を含んでいてもよい。
【０１００】
セル設定情報は、直接的な装置間通信（例えば、Ｖ２Ｖ通信、Ｖ２Ｘ通信など）のために用いられる情報である。セル設定情報は、ｅＮＢ２００（セル）から提供（送信）される情報である。すなわち、セル設定情報は、ｅＮＢ２００により提供されたゾーン設定情報（ゾーン定義情報）及びｅＮＢ２００により提供されたリソース設定情報の少なくとも一方である。セル設定情報は、上記メッセージに含まれていてもよい。セル設定情報は、上記メッセージと異なるメッセージ（例えば、ＳＩＢ、個別シグナリングなど）に含まれていてもよい。
【０１０１】
ＵＥ設定情報の適用を許可することを示す情報は、複数のＵＥ設定情報のうち、適用すべきＵＥ設定情報を識別する情報（例えば、識別ＩＤ）を含んでいてもよい。
【０１０２】
インジケータは、ＵＥ１００に予め設定されたリソース設定情報（第１のリソース情報）の代わりに、セルから提供されるリソース設定情報（第２のリソース情報）の適用を指定する情報（例えば、ＥＮＵＭ｛ｔｒｕｅ｝）を含んでいてもよい。ＵＥ１００は、当該情報を含まない場合、第１のリソース情報を適用すると判定してもよい。
【０１０３】
メッセージは、適用すべきゾーン設定情報を示す第１の情報と、適用すべきリソース設定情報を示す第２の情報と、を含んでいてもよい。第１の情報は、適用すべきゾーン設定情報として、予めＵＥに設定されたゾーン設定情報（第１のゾーン情報）を示してもよい。第１の情報は、適用すべきゾーン設定情報として、ｅＮＢ２００（セル）から提供されたゾーン設定情報（第２のゾーン情報）を示してもよい。第２の情報は、適用すべきリソース設定情報として、予めＵＥに設定されたゾーン設定情報（第１のリソース情報）を示してもよい。第２の情報は、適用すべきリソース設定情報として、ｅＮＢ２００（セル）から提供されたリソース設定情報（第２のリソース情報）を示してもよい。
【０１０４】
メッセージは、ゾーン識別情報（例えば、ＺｏｎｅＩＤ）とリソース識別情報（例えば、リソースＩＤ）との対応関係を示す情報（リスト）を含んでいてもよい。ｅＮＢ２００（セル）から提供されるリソース設定情報に当該情報が含まれていてもよい。
【０１０５】
ｅＮＢ２００は、ステップＳ１２０においてＵＥ１００から受信したＵＥ設定情報に基づいて、メッセージの内容を決定してもよい。
【０１０６】
ステップＳ１４０において、ＵＥ１００は、ゾーンを算出するために設定情報を適用する。ＵＥ１００は、ステップＳ１３０におけるメッセージに基づいて、ゾーンを算出するためにＵＥ設定情報とセル設定情報とのどちらを適用するかを決定する。
【０１０７】
ＵＥ１００は、例えば、ＵＥ設定情報の適用を許可することを示す情報（又はセル設定情報の適用を許可しないことを示す情報）に従って、ＵＥ設定情報を適用すると決定してもよい。ＵＥ１００は、例えば、ＵＥ設定情報の適用を許可しないことを示す情報（又はセル設定情報の適用を許可することを示す情報）に従って、セル設定情報を適用すると決定してもよい。
【０１０８】
ＵＥ１００は、複数のＵＥ設定情報を有している場合、最初のＵＥ設定情報（例えば、リストの最初のエントリ）を適用すると決定してもよい。ＵＥ１００は、メッセージにＵＥ設定情報を識別する識別ＩＤが含まれていない場合、最初のＵＥ設定情報を適用すると決定してもよい。ＵＥ１００は、メッセージにＵＥ設定情報を識別する識別ＩＤが含まれている場合、識別ＩＤが示すＵＥ設定情報を適用すると決定してもよい。
【０１０９】
ＵＥ１００は、適用すべきゾーン設定情報を示す第１の情報に基づいて、第１のゾーン情報と第２のゾーン情報とのどちらを適用するか決定してもよい。
【０１１０】
ＵＥ１００は、適用すべきリソース設定情報を示す第２の情報に基づいて、第１のリソース情報と第２のリソース情報とのどちらを適用するか決定してもよい。ＵＥ１００は、第１のゾーン情報（すなわち、ＵＥ１００に予め設定されたゾーン設定情報）を適用する場合であっても、第２のリソース情報（すなわち、セルから提供されたリソース設定情報）を適用してもよい。この場合、ＵＥ１００は、第１のゾーン情報に含まれるゾーン識別情報（ＺｏｎｅＩＤ）と第２のリソース情報に含まれるリソース識別情報（リソースＩＤ）とを対応付けてもよい。ＵＥ１００は、ゾーン識別情報（ＺｏｎｅＩＤ）とリソース識別情報（リソースＩＤ）との対応関係を示す情報に基づいて、対応関係を把握してもよい。
【０１１１】
ＵＥ１００は、第２のゾーン情報（すなわち、セルから提供されたゾーン設定情報）を適用する場合であっても、第１のリソース情報（すなわち、ＵＥ１００に予め設定されたリソース設定情報）を適用してもよい。
【０１１２】
ＵＥ１００は、ステップＳ１３０のメッセージの存在を確認できない（すなわち、受信できない）場合、ＵＥ設定情報を適用すると決定してもよい。ＵＥ１００は、ステップＳ１３０のメッセージ及びセル設定情報の少なくとも一方を受信するまでは、ＵＥ設定情報を適用すると決定してもよい。従って、ＵＥ１００は、セル設定情報の適用に関する明示的なシグナリングをｅＮＢ２００から受信できない場合に、ＵＥ設定情報を適用すると決定してもよい。この場合において、ＵＥ１００は、直接的な端末間通信（例えば、Ｖ２Ｖ通信、Ｖ２Ｘ通信など）の運用が許可されている場合にのみ、ＵＥ設定情報を適用すると判定してもよい。ＵＥ１００は、明示的なシグナリングをｅＮＢ２００から受信できない場合であっても、Ｖ２Ｖ通信の運用が許可されていない場合には、ＵＥ設定情報を適用しないと判定してもよい。ｅＮＢ２００は、直接的な端末間通信（例えば、Ｖ２Ｖ通信、Ｖ２Ｘ通信など）の運用の許可（又は不許可）を示す情報をブロードキャストシグナリングにより送信してもよい。
【０１１３】
ＵＥ１００は、決定した設定情報を適用する。例えば、ＵＥ１００は、ＵＥ設定情報を適用すると決定したことに応じて、ＵＳＩＭに保存されているＵＥ設定情報を読み出してもよい。ＵＥ１００は、読み出したＵＥ設定情報を適用してもよい。
【０１１４】
ＵＥ１００は、セル設定情報を適用すると決定したことに応じて、セルから提供されたセル設定情報を適用してもよい。
【０１１５】
ＵＥ１００は、ＵＥ設定情報を適用する場合において、セル設定情報を保持している場合、セル設定情報の適用を除外してもよい。ＵＥ１００は、セル設定情報を破棄してもよい。ＵＥ１００は、セル設定情報をメモリに保存してもよい。ＵＥ１００は、セル設定情報を適用すると決定した場合に、セル設定情報をメモリから読み出してもよい。
【０１１６】
ＵＥ１００は、適用した設定情報に従って、他のＵＥへの直接的な無線信号の送信を実行する。ＵＥ１００は、適用したゾーン設定情報とＵＥ１００の位置を示す位置情報とに基づいて、ＵＥ１００が位置するゾーンを算出（特定）する。例えば、ＵＥ１００は、設定情報（ゾーン定義情報）に基づいて、全体のゾーンを特定（算出）してもよい。ＵＥ１００は、全体のゾーンを算出した後に、自身の位置情報に基づいて、ゾーンを特定してもよい。ＵＥ１００は、ゾーン定義情報により示される式に自身の位置を示すパラメータを入力することによって、ゾーンを特定してもよい。ＵＥ１００は、端末間の直接的な無線信号の送信及び／又は受信（例えば、Ｖ２Ｖ通信、Ｖ２Ｘ通信など）を実行する場合に、ゾーンを特定してもよい。
【０１１７】
ＵＥ１００は、適用したリソース設定情報に基づいて、特定したゾーンに対応する送信リソースプールを選択する。ＵＥ１００は、ゾーンと送信リソースプールとの対応関係を示す情報（例えば、上述のリスト）に基づいて、送信リソースプールを選択してもよい。ＵＥ１００は、選択した送信リソースプールにおいて、無線信号の測定（センシング）を実行する。ＵＥ１００は、選択した送信リソースプールを対象として、センシングを実行する。ＵＥ１００は、送信リソースプールにおける制御領域及びデータ領域の少なくとも一方を対象として、センシングを実行してもよい。制御領域は、端末間通信で用いられる制御情報が配置される領域（例えば、ＰＳＣＣＨ）である。制御情報は、データ情報が配置される位置を示す情報を含む。データ領域は、端末間通信で用いられるデータ情報が配置される領域（例えば、ＰＳＳＣＨ）である。
【０１１８】
ＵＥ１００は、例えば、送信リソースプール内の無線信号の受信レベル（受信強度（ＲＳＲＰ：Ｒｅｆｅｒｅｎｃｅ  Ｓｉｇｎａｌ  Ｒｅｃｅｉｖｅｄ  Ｐｏｗｅｒ）、受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）など）を測定する。
【０１１９】
ＵＥ１００は、センシング結果（測定結果）に応じて、送信リソースプールを選択してもよい。ＵＥ１００は、例えば、制御情報をデコードして、データが配置されていないリソース（時間・周波数リソース）を特定する。ＵＥ１００は、選択した送信リソースプール内の制御領域内のリソースを用いて、直接的な端末間通信により、特定したリソースの位置を示す制御情報を送信する。ＵＥ１００は、特定したリソースを用いて、直接的な端末間通信により、送信データを送信する。このようにして、ＵＥ１００は、他のＵＥへ直接的な無線信号（制御情報及び送信データ）を送信することができる。
【０１２０】
以上より、ＵＥ１００が適用すべき設定情報をｅＮＢ２００が適切に制御することができる。ｅＮＢ２００は、ＵＥ１００がインカバレッジ（すなわち、圏内）に位置する場合であっても、ＵＥ１００にＵＥ設定情報を適用させることができる。これにより、ＵＥ１００がセル端付近を移動することにより、ＵＥ１００がインカバレッジ状態とアウトオブカバレッジ（圏外）状態とを交互に移行する場合であっても、ＵＥ１００は、同一の設定情報（すなわち、ＵＥ設定情報）に従って、ゾーンを算出することができる。ＵＥ設定情報が適用される場合には、ゾーンの範囲がセルの形状に依存しないため、隣接セルと共通のゾーン設定が適用され得る。従って、セル端（セルエッジ）によりゾーンが区切られることなく、ＵＥ１００は、ゾーンを算出することができる。ＵＥ設定情報が適用される場合には、ｅＮＢ２００は、セル設定情報を管理しなくてもよいため、ｅＮＢ２００の負荷を低減することもできる。ＵＥ−ｅＮＢ間のシグナリングの負荷（無線負荷）も低減できる。
【０１２１】
（Ｂ）動作パターン２
動作パターン２について、図８を用いて説明する。図８は、動作パターン２を説明するためのシーケンス図である。上述した内容と同様の内容は、説明を省略する。
【０１２２】
動作パターン２では、ｅＮＢ２００は、ＮＷからＵＥ設定情報を受け取る。動作環境は、動作パターン１と同様である。
【０１２３】
図８に示すように、ステップＳ２１０において、ｅＮＢ２００は、ＮＷ（ネットワーク）に問合せメッセージ（ｉｎｑｕｉｒｙ）を送ってもよい。問合せメッセージは、ＵＥ設定情報を要求するためのメッセージである。
【０１２４】
問合せメッセージは、ＵＥ１００の識別子（ＵＥ  ＩＤ）を含んでいてもよい。ＵＥ１００の識別子は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよい。
【０１２５】
ＮＷは、例えば、コアネットワーク内のノード（ネットワーク装置）であってもよい。ＮＷは、ＭＭＥ３００、ＨＳＳ（Ｈｏｍｅ  Ｓｕｂｓｃｒｉｂｅｒ  Ｓｅｒｖｅｒ）、ＯＡＭ（Ｏｐｅｒａｔｉｏｎｓ  Ａｎｄ  Ｍａｎａｇｅｍｅｎｔ）であってもよい。ＨＳＳは、ＵＥ１００の加入者情報を管理するノード（ＮＷ装置）である。ＯＡＭは、オペレータによって管理されるＮＷ装置である。ＯＡＭは、Ｅ−ＵＴＲＡＮ１０の保守及び監視を行う。ＮＷは、例えば、Ｖ２Ｘ（Ｖ２Ｖ／Ｖ２Ｉ）機能を管理するＳｅｒｖｅｒ６００（ノード）であってもよい。ＮＷは、ＰｒｏＳｅ機能を管理するＳｅｒｖｅｒ６００（ノード）であってもよい。
【０１２６】
ステップＳ２２０において、ＮＷは、ＵＥ設定情報（ｉｎｆｏｒｍａｔｉｏｎ）をｅＮＢ２００へ送る。ＮＷは、ＵＥ１００の識別子に対応するＵＥ設定情報をｅＮＢ２００へ送ってもよい。ＮＷは、事業者によって設定されたＵＥ設定情報をｅＮＢ２００へ送ってもよい。ｅＮＢ２００は、ＮＷからＵＥ設定情報を受け取る。
【０１２７】
ステップＳ２３０は、ステップＳ１３０に対応する。ステップＳ２４０は、ステップＳ１４０に対応する。
【０１２８】
以上より、ｅＮＢ２００は、ＵＥ１００からＵＥ設定情報を受信しなくても、ＵＥ設定情報を取得することができる。ｅＮＢ２００は、ＵＥ設定情報に基づいて、ＵＥ１００が適用すべき設定情報を適切に制御することができる。
【０１２９】
（Ｃ）動作パターン３
動作パターン３について、図９を用いて説明する。図９は、動作パターン３を説明するためのシーケンス図である。上述した内容と同様の内容は、説明を省略する。
【０１３０】
動作パターン３では、ｅＮＢ２００−１は、隣接ｅＮＢであるｅＮＢ２００−２が提供する隣接セル設定情報を考慮して、適用すべき設定情報を決定できる。
【０１３１】
図９において、ＵＥ１００は、ｅＮＢ２００−１が管理するセル１（ＰＣｅｌｌ（Ｐｒｉｍａｒｙ  Ｃｅｌｌ）／サービングセル／キャンプセル）内に位置する（在圏する）。ＵＥ１００は、ｅＮＢ２００−１（セル１）とＲＲＣ接続を確立していてもよい（ＲＲＣコネクティッド状態）。ＵＥ１００は、ＲＲＣ接続を確立していなくてもよい（ＲＲＣアイドル状態）。ＵＥ１００は、ｅＮＢ２００−１（セル１）へ無線信号を送信する場合に、ｅＮＢ２００−１とＲＲＣ接続を確立してもよい。ｅＮＢ２００−１は、ＵＥ１００のサービングｅＮＢである。
【０１３２】
ＵＥ１００は、ｅＮＢ２００−２が管理するセル２内にも位置する（在圏する）。ＵＥ１００は、隣接ｅＮＢであるｅＮＢ２００−２とＲＲＣ接続を確立しない。ＵＥ１００は、隣接セルであるセル２内に位置するため、ｅＮＢ２００−２（セル２）からの無線信号（例えば、参照信号、ＳＩＢなど）を受信することができる。
【０１３３】
ステップＳ３１０において、ｅＮＢ２００−２は、メッセージを送信する。ＵＥ１００は、セル２内に位置するため、メッセージを受信できる。ＵＥ１００は、サービングセル（Ｐセル）の変更をせずに、メッセージを受信できる。ＵＥ１００は、ｅＮＢ２００−１からの要求に応じて、メッセージを受信してもよい。
【０１３４】
メッセージは、ステップＳ１３０におけるメッセージと同様のメッセージである。メッセージは、セル２の配下のＵＥに適用（設定）される。ＵＥ１００は、当該メッセージに基づいて、動作パターン１と同様に、セル２において、ＵＥ設定情報と第２のセル設定情報とのどちらが適用されるかを決定できる。第２のセル設定情報は、セル２（ｅＮＢ２００−２）から提供されるセル設定情報である。メッセージは、第２のセル設定情報を含んでいてもよい。
【０１３５】
ステップＳ３２０において、ＵＥ１００は、第２のセルにおいて適用される設定情報を通知するためのメッセージ（ｉｎｆｏｒｍａｔｉｏｎ）をｅＮＢ２００−１（セル１）へ送信する。ｅＮＢ２００−１は、ＵＥ１００から報告メッセージを受信する。
【０１３６】
ステップＳ３２０のメッセージ（以下、報告メッセージ）は、セル２において適用される設定情報がセル１において適用される設定情報と同じであるかを示すための情報を含んでもよい。例えば、セル１においてＵＥ設定情報が適用され、セル２において第２のセル設定情報が適用される場合には、ＵＥ１００は、異なる設定情報が適用されることを示すインディケーションを報告メッセージに含めてもよい。セル１においてＵＥ設定情報が適用され、セル２においてＵＥ設定情報が適用される場合には、ＵＥ１００は、同じ設定情報が適用されることを示すインディケーションを報告メッセージに含めてもよい。セル１において第１のセル設定情報が適用され、セル２において第２のセル設定情報が適用される場合には、ＵＥ１００は、異なる設定情報が適用されることを示すインディケーションを報告メッセージに含めてもよい。第１のセル設定情報と第２のセル設定情報とが共通である場合には、ＵＥ１００は、同じ設定情報が適用されることを示すインディケーションを報告メッセージに含めてもよい。第１のセル設定情報と第２のセル設定情報とが異なる場合には、ＵＥ１００は、異なる設定情報が適用されることを示すインディケーションを報告メッセージに含めてもよい。
【０１３７】
ＵＥ１００は、ゾーン設定情報とリソース設定情報とのそれぞれについて同じ設定情報が適用されるかを示すインディケーションを報告メッセージに含めてもよい。
【０１３８】
ＵＥ１００は、第２のセル設定情報を報告メッセージに含めてもよい。ＵＥ１００は、第１のセル設定情報と第２のセル設定情報とが異なる場合にのみ、第２のセル設定情報を報告メッセージに含めてもよい。ＵＥ１００は、インディケーションを報告メッセージに含めずに、第２のセル設定情報を報告メッセージに含めてもよい。
【０１３９】
ｅＮＢ２００−１は、例えば、Ｘ２インターフェイスを介して、第２のセル設定情報をｅＮＢ２００−２から受け取ってもよい。ｅＮＢ２００−１は、第２のセル設定情報をｅＮＢ２００−２へ要求してもよい。ｅＮＢ２００−２は、ｅＮＢ２００−１からの要求に応じて、第２のセル設定情報をｅＮＢ２００−１へ送ってもよい。ｅＮＢ２００−２は、第２のセル設定情報を更新したことに応じて、第２のセル設定情報をｅＮＢ２００−１へ送ってもよい。
【０１４０】
ｅＮＢ２００−１は、例えば、Ｘ２インターフェイスを介して、セル２において適用される設定情報を知らせるための情報（適用情報）をｅＮＢ２００−２から受け取ってもよい。ｅＮＢ２００−１は、適用情報をｅＮＢ２００−２へ要求してもよい。ｅＮＢ２００−２は、ｅＮＢ２００−１からの要求に応じて、適用情報をｅＮＢ２００−１へ送ってもよい。ｅＮＢ２００−２は、適用情報を更新したことに応じて、適用情報をｅＮＢ２００−１へ送ってもよい。
【０１４１】
ｅＮＢ２００−１は、ＵＥ１００から受信した報告メッセージ及び／又はｅＮＢ２００−１から受け取った情報（第２のセル設定情報及び／又は適用情報）に基づいて、自セル（セル１）において適用すべき設定情報を決定してもよい。
【０１４２】
ｅＮＢ２００−１は、例えば、セル１とセル２との境界においてゾーンの変更が多発しないように、セル２において適用される設定情報と同じ設定情報をセル１において適用すると決定してもよい。ｅＮＢ２００−１は、例えば、セル１とセル２との境界においてゾーンの変更が多発しない場合には、セル１における都市及び／又は道路の形状に応じて、設定情報を決定してもよい。
【０１４３】
ｅＮＢ２００−１は、ゾーン設定情報とリソース設定情報との一方のみを同じ設定にしてもよい。例えば、ｅＮＢ２００−１は、ゾーン設定情報のみをセル２と同じにしてもよい。ｅＮＢ２００−１は、リソース設定情報をセル２と異なる設定にしてもよい。
【０１４４】
ステップＳ３３０及びＳ３４０は、ステップＳ１３０及びＳ１４０に対応する。
【０１４５】
ｅＮＢ２００−１は、第２のセル設定情報及び／又は適用情報を個別シグナリング（例えば、ＲＲＣ再設定メッセージ、ＤＣＩなど）及び／又はブロードキャストシグナリング（例えば、ＳＩＢ（ＳＩＢ２１など））により、ＵＥ１００へ送信してもよい。ｅＮＢ２００−１は、ステップＳ３３０におけるメッセージ内に第２のセル設定情報及び／又は適用情報を含めてもよい。ｅＮＢ２００−１は、ステップＳ３３０におけるメッセージとは異なるメッセージに第２のセル設定情報及び／又は適用情報を含めて、当該メッセージを送信してもよい。これにより、ＵＥ１００は、セル１に在圏している間に、第２のセル設定情報及び／又は適用情報を取得することができる。ＵＥ１００は、セル２へ在圏した後に第２のセル設定情報及び／又は適用情報を取得しなくてもよいため、セル２においてＶ２Ｘ通信を遅延なく実行することができる。
【０１４６】
以上より、ｅＮＢ２００−１は、隣接セルにおいて適用される設定情報を考慮して、自セルにおいて適用される設定情報を決定することができる。これにより、セル間で同じ設定情報が適用される場合には、セルが変更されたとしても、ＵＥ１００は、同じゾーンに対応する同じ送信リソースプールを選択（使用）し続けることができる。すなわち、ＵＥ１００は、セル間で共通の設定情報を使用することができる。その結果、ゾーンの算出、送信リソースプールの再選択などによる処理負荷を低減したり、遅延の発生を低減したりすることができる。
【０１４７】
（Ｄ）動作パターン４
動作パターン４について、図１０を用いて説明する。図１０は、動作パターン４を説明するためのフローチャートである。上述した内容と同様の内容は、説明を省略する。
【０１４８】
動作パターン４では、ゾーンが変更された場合のＵＥ１００の動作について説明する。
【０１４９】
ステップＳ４０５において、ＵＥ１００は、設定情報に基づいて、ゾーンを特定する。ＵＥ１００は、上述の各動作パターンと同様に、ゾーンを特定できる。例えば、ＵＥ１００は、ゾーン設定情報に基づいて、ゾーンを特定できる。
【０１５０】
ステップＳ４１０において、ＵＥ１００は、ゾーンが変更されたか否かを判定する。ＵＥ１００は、例えば、ステップＳ４０５で特定したゾーンが前回特定したゾーンと同一であるか否かを判定してもよい。ＵＥ１００は、前回特定したゾーンと今回特定したゾーンとが同一である場合、設定情報が変更されていないと判定してもよい。そうでない場合、ＵＥ１００は、設定情報が変更されていると判定してもよい。ＵＥ１００の移動により、ＵＥ１００が位置するゾーンが異なることにより、ゾーンが変更されてもよい。
【０１５１】
ＵＥ１００は、ゾーンを特定するために用いたパラメータが変更（例えば、更新）された場合に、ゾーンが変更されたと判定してもよい。例えば、ＵＥ１００は、ＵＥ設定情報からセル設定情報へ（又はセル設定情報からＵＥ設定情報へ）適用すべき設定情報を切り替わったことを検知したことに応じて、ゾーンが変更されたと判定してもよい。ＵＥ１００は、セル設定情報を適用している場合に、ｅＮＢ２００（セル）から更新されたセル設定情報を受信したことに応じて、ゾーンが変更されたと判定してもよい。
【０１５２】
ゾーン設定情報が変更されていない場合であっても、特定されたゾーンに対応付けられている送信リソースプールが変更された場合に、ＵＥ１００は、ゾーンが変更されたと判定してもよい。
【０１５３】
ＵＥ１００は、ゾーンが変更された場合、ステップＳ４２０の処理を実行する。ＵＥ１００は、ゾーンが変更されていない場合、ステップＳ４４０の処理を実行する。
【０１５４】
ステップＳ４２０において、ＵＥ１００は、所定期間（ギャップ期間）が経過したかを判定してもよい。所定期間は、例えば、ＵＥ１００が（ゾーン変更後の）新たな設定情報を適用するまでの期間である。所定期間は、ＵＥ１００が新たな送信リソースプールを使用可能になるまでの期間である。所定期間は、セル設定情報の更新（例えば、セル設定情報が含まれるＳＩＢ（例えば、ＳＩＢ２１）の更新）が行われる期間であってもよい。所定期間は、ＳＩＢの内容の変更が行われる境界変更（Ｓｙｓｔｅｍ  Ｉｎｆｏｒｍａｔｉｏｎ  ｍｏｄｉｆｉｃａｔｉｏｎ  ｂｏｕｎｄａｒｙ）であってもよい。所定期間は、セル設定情報の更新が行われた境界変更の先頭（又は最後）のＳＦＮ（Ｓｙｓｔｅｍ  Ｆｒａｍｅ  Ｎｕｍｂｅｒ）であってもよい。所定期間は、当該境界変更の先頭（又は最後）のＳＦＮから、一定期間（例えば、１ｓ）であってもよい。当該ＳＦＮは、Ｈ−ＳＦＮ（Ｈｙｐｅｒ  ＳＦＮ）であってもよい。Ｈ−ＳＦＮは、セルによりブロードキャストされ、ＳＦＮがラップアラウンドした場合に１増加する（インクリメントする）。
【０１５５】
ＵＥ１００は、所定期間をｅＮＢ２００から受信してもよい。例えば、ｅＮＢ２００は、個別シグナリング（例えば、ＲＲＣ再設定メッセージ、ＤＣＩなど）及び／又はブロードキャストシグナリング（例えば、ＳＩＢ（ＳＩＢ２１など））により、所定期間の情報をＵＥ１００へ送信してもよい。所定期間の情報は、予めＵＥ１００に設定されていてもよい。所定期間は、予め決められた値であってもよい。
【０１５６】
ＵＥ１００は、所定期間において、新たに特定したゾーン（変更されたゾーン）に対応付けられた新たな送信リソースプールにおいて無線信号の測定（センシング）を実行してもよい。これにより、無線信号の測定に起因する通信遅延の発生を抑制することができる。
【０１５７】
ＵＥ１００は、ステップＳ４２０の処理を省略してもよい。
【０１５８】
ＵＥ１００は、所定時間が経過していない場合、ステップＳ４３０の処理を実行する。ＵＥ１００は、所定時間が経過した場合、ステップＳ４４０の処理を実行する。
【０１５９】
ステップＳ４３０において、ＵＥ１００は、例外的に送信リソースプールを選択する。具体的には、ＵＥ１００は、変更されたゾーンに対応付けられていない送信リソースプールを選択できる。
【０１６０】
ＵＥ１００は、例えば、ゾーンに対応付けられていない特別な送信リソースプールを選択してもよい。特別な送信リソースプールは、センシングを実行せずに使用可能なサイドリンク通信（Ｄ２Ｄ通信）用のリソースプールであってもよい。特別な送信リソースプールは、ゾーンに対応付けられていないＶ２Ｘ（Ｖ２Ｖ）通信用のリソースプールであってもよい。
【０１６１】
ＵＥ１００は、変更前の送信リソースプールを例外的に選択してもよい。ＵＥ１００は、変更前のゾーンに対応付けられている送信リソースプールを選択してもよい。
【０１６２】
ステップＳ４４０において、ＵＥ１００は、特定したゾーンに対応付けられた送信リソースプールを選択する。
【０１６３】
ステップＳ４５０において、ＵＥ１００は、選択した送信リソースプール内のリソースを用いて、送信データを送信する。ステップＳ４４０及びＳ４５０における動作は、動作パターン１で説明した動作と同様である。
【０１６４】
以上より、ゾーンが変更されたとしても、ＵＥ１００は、例外的に送信リソースプールを選択することができる。これにより、ゾーン（又は設定情報）が変更されたとしても、ＵＥ１００は、変更後のゾーンに対応付けられている送信リソースプールのみを使用することが強要されない。ＵＥ１００は、特別な送信リソースプールの使用が許容される所定期間において、センシングを実行することにより、ＵＥ１００は、所定期間の終了後に、遅延なく、新たな送信リソースプールを使用することができる。
【０１６５】
ＵＥ１００は、所定期間が経過する前であっても、変更後のゾーンに対応付けられている送信リソースプールを選択（使用）してもよい。例えば、ＵＥ１００は、所定期間が経過する前に、センシングが終了した場合、変更後のゾーンに対応付けられている送信リソースプールを選択（使用）してもよい。
【０１６６】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１６７】
上述では、送信ＵＥを例に挙げて説明したが、これに限られない。端末間通信における送信データを受信することを試みる受信ＵＥも送信ＵＥと同様の動作を実行してもよい。受信ＵＥは、選択可能な全ての（送信）リソースプール（の少なくとも一部）において、モニタリングを実行してもよい。これにより、受信ＵＥは、送信ＵＥからの無線信号を受信することが可能である。
【０１６８】
上述において、ＵＥ間での直接的な無線信号の送信及び／又は受信（直接的なシグナリング）は、Ｖ２Ｖ通信、Ｖ２Ｘ通信などを例に挙げていたが、これに限られない。ＵＥ間での直接的な無線信号のシグナリングは、サイドリンク（近傍サービス）を利用したものであってもよい。例えば、Ｄｉｓｃｏｖｅｒｙ信号（メッセージ）、ＰＣ５シグナリングなどの直接的な無線信号の送信／受信において上述の動作が実行されてもよい。
【０１６９】
ゾーンに対応付けられた無線リソースを用いた他の通信において、上述の動作が実行されてもよい。ＵＥ１００が、自身が位置する（属する）ゾーンに対応付けられた無線リソース領域（無線リソース）を選択する場合に、上述の動作が実行されてもよい。例えば、コアネットワークを経由せずにｅＮＢを経由するＶ２Ｘ通信（Ｕｕ通信を利用したＶ２Ｘ通信）において上述の動作が適用されてもよい。セルラ通信（ＷＷＡＮ（Ｗｉｒｅｌｅｓｓ  Ｗｉｄｅ  Ａｒｅａ  Ｎｅｔｗｏｒｋ）通信）において、上述の動作が適用されてもよい。
【０１７０】
上述した実施形態に係る動作（各動作パターン）は、適宜組み合わせて実行されてもよい。上述した各シーケンスにおいて、必ずしも全ての動作が必須の構成ではない。例えば、各シーケンスにおいて、一部の動作のみが実行されてもよい。
【０１７１】
上述した各実施形態では特に触れていないが、上述した各ノード（ＵＥ１００、ｅＮＢ２００など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１７２】
ＵＥ１００及びｅＮＢ２００のいずれかが行う各処理を実行するためのプログラムを記憶するメモリ及びメモリに記憶されたプログラムを実行するプロセッサによって構成されるチップが提供されてもよい。
【０１７３】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０１７４】
日本国特許出願第２０１６−１５８４１８号（２０１６年８月１２日出願）の全内容が、参照により、本願明細書に組み込まれている。
【図１】
0006554613.tif 000002
【図２】
0006554613.tif 000003
【図３】
0006554613.tif 000004
【図４】
0006554613.tif 000005
【図５】
0006554613.tif 000006
【図６】
0006554613.tif 000007
【図７】
0006554613.tif 000008
【図８】
0006554613.tif 000009
【図９】
0006554613.tif 000010
【図１０】
0006554613.tif 000011